(57)【要約】【課題】電源装置のコストを抑制しつつ、転写ローラの電気抵抗の上昇を十分に抑制することができる画像形成装置を提供する。【解決手段】画像形成装置は、二次転写内ローラ２４に電圧を印加する内転写電源３２と、転写ローラ２５に電荷を供給する給電ローラ２６と、給電ローラ２６に電圧を印加する外転写電源３３とを備える。連続画像形成中、画像形成装置の制御ユニットは、内転写電源３２にトナーの帯電極性と同極性の二次転写電圧を出力させる一方で、外転写電源３３にトナーの帯電極性とは逆極性の電圧を出力させる。連続画像形成の後、内転写電源３２及び外転写電源３３の少なくとも一方は、二次転写内ローラ２４及び給電ローラ２６から転写ローラ２５に供給された電荷の積算量の差を低減する方向の電流を転写ローラ２５に流すように制御される。【選択図】図５
2017125994.tif 000002
【特許請求の範囲】
【請求項１】
トナー像を形成する画像形成部と、
前記画像形成部によって形成されたトナー像を担持して移動する中間転写ベルトと、
接地電位に接続された導電軸と、前記導電軸の外周側に形成された導電剤を含む外周層とを有し、前記中間転写ベルトに担持されたトナー像を記録材に転写する転写部を形成する転写ローラと、
前記中間転写ベルトを挟んで前記転写ローラに対向する位置に配置され、前記中間転写ベルトを張架する対向部材と、
前記転写ローラの周方向において前記転写部とは異なる位置に配置される給電部において前記転写ローラに電荷を供給する給電部材と、
前記対向部材に電圧を印加する第１電源と、
前記給電部材に電圧を印加する第２電源と、
複数の記録材に連続してトナー像を形成する連続画像形成動作を実行中において、少なくとも記録材が前記転写部を通過する期間で前記第１電源にトナーの帯電極性と同極性の第１電圧を出力させ、前記第２電源にトナーの帯電極性とは逆極性の第２電圧を出力させる実行部と、を備え、
前記実行部は、前記連続画像形成動作を実行中における前記第１電源から供給された電荷の積算量と前記第２電源から供給された電荷の積算量との差を低減する方向の電流を、前記第１電源及び前記第２電源の少なくとも一方から前記転写ローラに供給させる調整動作を、前記連続画像形成動作の後に実行する、
ことを特徴とする画像形成装置。
【請求項２】
前記第１電圧及び前記第２電圧は、前記第２電源から流れる電流の絶対値と、前記転写部を記録材が通過中に前記第１電源から流れる電流の絶対値とが略等しくなるように設定され、
前記実行部は、前記調整動作において前記第１電源にトナーの帯電極性とは逆極性の逆電圧を出力させる、
ことを特徴とする請求項１に記載の画像形成装置。
【請求項３】
前記実行部は、前記調整動作において、前記第２電源に前記第２電圧を出力させた状態で前記第１電源に前記逆電圧を出力させる、
ことを特徴とする請求項２に記載の画像形成装置。
【請求項４】
前記給電部材は、前記転写ローラに接触するローラ部材であり、
前記実行部は、前記調整動作において、前記第１電源に前記逆電圧の出力を開始させた後に、前記第２電源にトナーの帯電極性と同極性の電圧を出力させる、
ことを特徴とする請求項２又は３に記載の画像形成装置。
【請求項５】
前記実行部は、前記給電部材が少なくとも１回転する時間幅に亘って、前記第２電源にトナーの帯電極性と同極性の電圧を出力させる、
ことを特徴とする請求項４に記載の画像形成装置。
【請求項６】
前記第１電源から供給される電流を検知する転写電流検出手段と、
前記第２電源から供給される電流を検知する給電電流検出手段と、を備え、
前記実行部は、前記連続画像形成動作を実行中の、前記第１電源から供給された電荷の積算量と前記第２電源から供給された電荷の積算量との差が第１電気量である場合には、これらの差が前記第１電気量よりも小さい第２電気量である場合に比して前記第１電源から供給される電気量が大きくなるように、前記調整動作を実行する、
ことを特徴とする請求項１乃至５のいずれか１項に記載の画像形成装置。
【請求項７】
前記第１電源は、高圧生成回路と電圧検出回路とが形成された第１基板であり、
前記転写電流検出手段は、前記第１基板に形成された電流検出回路であり、
前記第２電源は、高圧生成回路と電圧検出回路とが形成された第２基板であり、
前記給電電流検出手段は、前記第２基板に形成された電流検出回路である、
ことを特徴とする請求項６に記載の画像形成装置。
【請求項８】
前記転写ローラの前記外周層は、イオン導電剤を含む、
ことを特徴とする請求項１乃至７のいずれか１項に記載の画像形成装置。
【請求項９】
装置内部の温度及び湿度の少なくとも一方を検知する環境検出手段を備え、
前記実行部は、前記環境検出手段からの検知信号に基づいて前記第１電圧及び前記第２電圧を設定する、
ことを特徴とする請求項１乃至８のいずれか１項に記載の画像形成装置。
【請求項１０】
トナー像を形成する画像形成部と、
前記画像形成部によって形成されたトナー像を担持して移動する中間転写ベルトと、
接地電位に接続された導電軸と、前記導電軸の外周側に形成された導電剤を含む外周層とを有し、前記中間転写ベルトに担持されたトナー像を記録材に転写する転写部を形成する転写ローラと、
前記中間転写ベルトを挟んで前記転写ローラに対向する位置に配置され、前記中間転写ベルトを張架する対向部材と、
前記転写ローラの周方向において前記転写部とは異なる位置に配置される給電部において前記転写ローラに電荷を供給する給電部材と、
前記対向部材に電圧を印加する第１電源と、
前記給電部材に電圧を印加する第２電源と、
複数の記録材に連続してトナー像を形成する連続画像形成動作を実行中において、少なくとも記録材が前記転写部を通過する期間で前記第１電源にトナーの帯電極性と同極性の第１電圧を出力させ、前記第２電源にトナーの帯電極性とは逆極性の第２電圧を出力させる実行部と、を備え、
前記実行部は、前記第２電源に前記第２電圧を出力させた状態で前記第１電源にトナーの帯電極性とは逆極性の逆電圧を出力させる調整動作を、前記連続画像形成動作の後に実行する、
ことを特徴とする画像形成装置。
【発明の詳細な説明】
【技術分野】
【０００１】
本発明は、プリンタ、複写機、ファクシミリあるいは複合機など、電子写真技術を用いた画像形成装置に関する。
【背景技術】
【０００２】
従来から、感光ドラムに形成したトナー像を一次転写部で中間転写ベルト（中間転写体）に一次転写し、さらに二次転写部で記録材に二次転写する、中間転写方式の画像形成装置が知られている。このような画像形成装置には、中間転写ベルトとの間に二次転写部を形成する転写ローラと、中間転写ベルトを挟んで転写ローラに対向する対向部材とが設けられる。そして、例えば対向部材に電圧（二次転写電圧）が印加されることで、二次転写部にバイアス電界が形成され、トナー像が記録材へと転写される。
【０００３】
ところで、転写ローラには、導電性の軸芯と軸芯の外周に設けられた外周層とを有し、外周層に分散されたイオン導電性の導電剤（イオン導電剤）によって適度な導電性を付与されたものがある。このような転写ローラを用いる場合、二次転写電圧によってイオン導電剤が外周層の表面側又は軸芯側に偏る（分極する）ことで、通電時間の経過に伴って電気抵抗が上昇することが考えられる。そして、電気抵抗の上昇に合わせて二次転写電圧をより高圧にする場合、電源容量を超える前に転写ローラを交換する必要があるため、イオン導電剤の分極は転写ローラの寿命を減少させる要因となっていた。
【０００４】
そこで、従来、導電剤の分極に起因する電気抵抗の上昇を防ぐために、転写ローラの表面に当接する給電ローラを設け、給電ローラを介して転写ローラに二次転写電圧を印加する構成が提案されている（特許文献１参照）。この構成では、イオン導電剤の分極を防ぐために、給電ローラから供給された電荷が軸芯を経由して二次転写部に到達するように構成されている。
【先行技術文献】
【特許文献】
【０００５】
【特許文献１】特開２００５−３１６２００号公報
【発明の概要】
【発明が解決しようとする課題】
【０００６】
特許文献１に記載の構成では、給電ローラから供給された電荷は、転写ローラの外周層を径方向に少なくとも２回通過する経路を流れる。このため、二次転写部に十分な強度のバイアス電界を形成させる二次転写電圧を出力させるために、容量の大きな電源を用いる必要があり、電源装置のコスト増加の要因となっていた。そこで、転写ローラの軸芯を実質的に接地電位に接続し、対向部材に二次転写電圧を印加する第１電源と給電ローラに電荷を供給する第２電源とを別個に設けることで、個々の電源の必要最大電圧を小さく抑えることが考えられる。
【０００７】
しかしながら、対向部材と転写ローラとの間の電気抵抗は、二次転写部に記録材が挟持されているか否かによって変動する。このため、複数の画像を連続的に出力する場合に二次転写部に略一定の電圧を印加すると、記録材間のインターバル（紙間）では転写時に比して大きな電流が二次転写部に流れることとなる。このような事情によって生じる二次転写部に流れる電流と給電ローラから供給される電流との間の差分が、画像形成を繰り返すことで累積すると、イオン導電剤の分極が生じてしまう虞がある。
【０００８】
そこで、本発明は、電源装置のコストを抑制しつつ、転写ローラの電気抵抗の上昇を十分に抑制することができる画像形成装置を提供することを目的とする。
【課題を解決するための手段】
【０００９】
本発明に係る画像形成装置は、トナー像を形成する画像形成部と、前記画像形成部によって形成されたトナー像を担持して移動する中間転写ベルトと、接地電位に接続された導電軸と、前記導電軸の外周側に形成された導電剤を含む外周層とを有し、前記中間転写ベルトに担持されたトナー像を記録材に転写する転写部を形成する転写ローラと、前記中間転写ベルトを挟んで前記転写ローラに対向する位置に配置され、前記中間転写ベルトを張架する対向部材と、前記転写ローラの周方向において前記転写部とは異なる位置に配置される給電部において前記転写ローラに電荷を供給する給電部材と、前記対向部材に電圧を印加する第１電源と、前記給電部材に電圧を印加する第２電源と、複数の記録材に連続してトナー像を形成する連続画像形成動作を実行中において、少なくとも記録材が前記転写部を通過する期間で前記第１電源にトナーの帯電極性と同極性の第１電圧を出力させ、前記第２電源にトナーの帯電極性とは逆極性の第２電圧を出力させる実行部と、を備え、前記実行部は、前記連続画像形成動作を実行中における前記第１電源から供給された電荷の積算量と前記第２電源から供給された電荷の積算量との差を低減する方向の電流を、前記第１電源及び前記第２電源の少なくとも一方から前記転写ローラに供給させる調整動作を、前記連続画像形成動作の後に実行する、ことを特徴とする。
【００１０】
また、本発明に係る画像形成装置は、トナー像を形成する画像形成部と、前記画像形成部によって形成されたトナー像を担持して移動する中間転写ベルトと、接地電位に接続された導電軸と、前記導電軸の外周側に形成された導電剤を含む外周層とを有し、前記中間転写ベルトに担持されたトナー像を記録材に転写する転写部を形成する転写ローラと、前記中間転写ベルトを挟んで前記転写ローラに対向する位置に配置され、前記中間転写ベルトを張架する対向部材と、前記転写ローラの周方向において前記転写部とは異なる位置に配置される給電部において前記転写ローラに電荷を供給する給電部材と、前記対向部材に電圧を印加する第１電源と、前記給電部材に電圧を印加する第２電源と、複数の記録材に連続してトナー像を形成する連続画像形成動作を実行中において、少なくとも記録材が前記転写部を通過する期間で前記第１電源にトナーの帯電極性と同極性の第１電圧を出力させ、前記第２電源にトナーの帯電極性とは逆極性の第２電圧を出力させる実行部と、を備え、前記実行部は、前記第２電源に前記第２電圧を出力させた状態で前記第１電源にトナーの帯電極性とは逆極性の逆電圧を出力させる調整動作を、前記連続画像形成動作の後に実行する、ことを特徴とする。
【発明の効果】
【００１１】
本発明によれば、電源装置のコストを抑制しつつ、転写ローラの電気抵抗の上昇を十分に抑制することができる。
【図面の簡単な説明】
【００１２】
【図１】本実施形態に係る画像形成装置の構成を示す概略図。
【図２】画像形成装置の制御構成を示すブロック図。
【図３】二次転写ユニットの正面図。
【図４】二次転写ユニットの電源装置を示すブロック図。
【図５】二次転写ユニットにおける電流の方向を示す模式図。
【図６】二次転写電圧を設定する制御フローを示すフローチャート。
【図７】（ａ）は連続通紙中の二次転写電圧及びキャンセル電圧を示すグラフであり、（ｂ）は連続通紙によって生じる差分電流を説明するためのグラフ。
【図８】連続通紙を行う際の電源装置の制御フローを示すフローチャート。
【図９】電源装置の動作を示すタイミングチャート。
【発明を実施するための形態】
【００１３】
＜第１実施形態＞
以下、図面を参照して本発明の実施形態を詳細に説明する。まず、第１実施形態に係る画像形成装置Ａ１について、装置の概略構成を示す図１を用いて説明する。図１に示す画像形成装置Ａ１は、中間転写ベルト１２に沿ってイエロー、マゼンタ、シアン、ブラックの画像形成部（画像形成ユニット）ＵＹ、ＵＭ、ＵＣ、ＵＫを配列したタンデム型中間転写方式のフルカラープリンタである。
【００１４】
［画像形成装置］
画像形成部ＵＹは、感光ドラム１Ｙにイエローのトナー像を形成し、さらにトナー像を中間転写ベルト１２に転写（一次転写）する。同様に、画像形成部ＵＭ、ＵＣ、ＵＫは、それぞれ感光ドラム１Ｍ、１Ｃ、１Ｋにマゼンタ、シアン、ブラックのトナー像を形成し、さらに中間転写ベルト１２に一次転写する。これら４色のトナー像は、中間転写ベルト１２に互いに重なり合うように多重転写された状態で二次転写ユニット２０へ搬送され、二次転写ユニット２０によって記録材Ｓへ一括して転写（二次転写）される。
【００１５】
画像形成部ＵＹ、ＵＭ、ＵＣ、ＵＫは、それぞれの現像装置４Ｙ、４Ｍ、４Ｃ、４Ｋで用いるトナーの色が上記トナー像の色に対応している点以外は、ほぼ同一に構成される。以下の説明において、画像形成部ＵＹ、ＵＭ、ＵＣ、ＵＫの区別を表す符号末尾のＹ、Ｍ、Ｃ、Ｋを省略した符号を構成部材に付して、画像形成部Ｕの構成及び動作を説明する。
【００１６】
画像形成部Ｕは、感光ドラム１と、感光ドラム１を囲んで配置された、帯電ローラ２、露光装置３、現像装置４、一次転写ローラ５、及びドラムクリーニング装置６等を有している。感光ドラム１は、例えばアルミニウム製シリンダの周面に感光層を形成することで構成されたドラム状の感光体であり、所定のプロセススピードで図中矢印Ｒ１方向に回転する。
【００１７】
帯電ローラ２は感光ドラム１に接触した状態で帯電電圧を印加されることで、感光ドラム１をトナーの帯電極性と同極性の一様な暗部電位に帯電させる。露光装置３は、各色の分解色画像を展開した走査線画像データに従ってＯＮ−ＯＦＦ変調したレーザービームをレーザー発光素子から発生し、これを回転ミラーで走査して感光ドラム１の表面に画像データに基づく静電像を書き込む。現像装置４は、トナーとキャリアとを含む二成分現像剤を収容し、容器内部で現像剤を撹拌してトナーとキャリアとを摩擦帯電（本実施形態ではトナーが負極性、キャリアが正極性）させている。現像装置４は、現像剤を担持して回転する現像スリーブを有し、現像スリーブに現像電圧が印加されることでトナーを感光ドラム１に供給し、静電像をトナー像に現像する。
【００１８】
一次転写ローラ５は、中間転写ベルト１２を挟んで感光ドラム１に対向配置され、感光ドラム１と中間転写ベルト１２との間のニップ部として一次転写部Ｔ１を形成する。一次転写ローラ５には、高圧電源（不図示）によりトナーの帯電極性とは逆極性の一次転写電圧が印加される。これにより、感光ドラム１に担持されたトナー像が中間転写ベルト１２に静電吸引されて、一次転写が行われる。なお、ドラムクリーニング装置６は、感光ドラム１に摺擦するクリーニングブレードを有し、一次転写後に感光ドラム１上に僅かに残る一次転写残トナーを回収する。
【００１９】
画像形成部ＵＹ〜ＵＫから転写されたトナー像を担持して移動する中間転写体としての中間転写ベルト１２は、駆動ローラ２３、テンションローラ２８、アイドラローラ２２，２９、及び二次転写内ローラ２４等に張架されている。また、中間転写ベルト１２は、各画像形成部の一次転写部Ｔ１において感光ドラム１に当接している。駆動ローラ２３は、不図示のモータに接続されて回転駆動されることで、中間転写ベルト１２を図中矢印Ｒ２方向に回転（循環）させる。テンションローラ２８は、バネ等の弾性部材（不図示）に付勢されて中間転写ベルト１２の裏面を外周側へと押圧し、中間転写ベルト１２に３〜１２ｋｇｆの張力を付与する。アイドラローラ２２，２９は、中間転写ベルト１２の４つの一次転写部Ｔ１の上流側と下流側とに配置され、中間転写ベルト１２の回転軌道を規制する。
【００２０】
詳しくは後述する二次転写ユニット２０は、中間転写ベルト１２に担持されたトナー像を記録材Ｓ（記録媒体）に転写する転写部としての二次転写部Ｔ２を備えている。二次転写ユニット２０は、二次転写部Ｔ２に形成されたバイアス電界によって、中間転写ベルト１２に担持されたフルカラーのトナー像を記録材Ｓへと二次転写する。二次転写後に中間転写ベルト１２に付着したまま残る二次転写残トナーは、中間転写ベルト１２を摺擦するブレード部材を有するベルトクリーニング装置１１によって回収される。
【００２１】
二次転写部Ｔ２においてフルカラーのトナー像を転写された記録材Ｓは、定着装置３０へ搬送される。定着装置３０は、互いに当接して定着ニップ部Ｔ３を形成する定着ローラ３１，３２を有し、定着ニップ部Ｔ３で記録材Ｓを搬送しつながら記録材Ｓにトナー像を定着させる。定着装置３０には、例えば定着ローラ３１を内部から加熱するランプヒータ等の加熱源と、定着ローラ３１，３２を互いに圧接させるバネ等の付勢機構とが設けられる。これにより、定着ニップ部Ｔ３に挟持された記録材Ｓが加熱及び加圧されて、トナー像が溶融して記録材Ｓに定着する。定着装置３０を通過してトナー像が定着した記録材Ｓは、不図示の排出機構によって機体外へ排出される。
【００２２】
この他、画像形成装置Ａ１は、記録材Ｓが積載されるトレイ（不図示）と、記録材Ｓを給送する給送ユニット（不図示）と、レジストローラ対６６とを含む搬送系を備えている。給送ユニットはトレイに積載された記録材Ｓを繰り出すピックアップローラを備え、画像形成部ＵＹ〜ＵＫにおける画像形成に合わせて記録材Ｓを装置本体に給送する。レジストローラ対６６は、給送ユニットから給送された記録材Ｓの前端に当接して斜行を補正すると共に、二次転写ユニット２０における転写タイミングに合わせて記録材Ｓを二次転写部Ｔ２へと搬送する。
【００２３】
［制御ユニット］
次に、画像形成装置Ａ１を制御して画像形成動作を実行させる実行部としての制御ユニット１００について説明する。図２のブロック図に示すように、画像形成装置Ａ１の各装置（モータ、センサ等）は、ＣＰＵ１０１ａを有する制御ユニット１００によって包括的にコントロールされている。ＣＰＵ１０１ａは、ＲＯＭ１０１ｂに格納されたプログラムや、ＲＡＭ１０１ｃに保存されたデータ等に従って、各種のシーケンス（例えば画像形成ジョブのシーケンス）を実行する。ＲＡＭ１０１ｃには、前回の画像形成ジョブにおけるバイアス電圧の設定値や、画像形成ジョブを指令する指令情報など、書き換え可能なデータが揮発的又は不揮発的に保存される。
【００２４】
制御ユニット１００は、液晶画面等のユーザインタフェースを有する操作部１０２に接続されている。ＣＰＵ１０１ａは、ユーザによって設定された複写倍率及び画像濃度の値などの情報を、操作部１０２を介して取得する。また、操作部１０２は、ＣＰＵ１０１ａからの指令に基づいて、画像形成枚数や画像形成の完了／未完了、ジャムの有無やジャムの発生箇所といった情報を表示してユーザに報知する。
【００２５】
ＣＰＵ１０１ａは、センサ用インターフェース（センサＩＦ１０９）を介して装置本体の各所に配置されたセンサ類１１４からの検知信号を受取っている。センサ類１１４とは、例えばフォトインタラプタやマイクロスイッチであり、装置内部の温度及び湿度を検知する環境検出手段としての温湿度センサ１１５と、後述する回転検知センサ３６とを含む。ＣＰＵ１０１ａは、これらセンサ類１１４からの検知信号によって装置内部の状態を監視しながら、画像形成装置Ａ１の各部を制御して画像形成動作等の動作を実行する。
【００２６】
すなわち、ＣＰＵ１０１ａは、モータ制御部１０７及びＤＣ負荷制御部１０８を介して各モータ１１２及びクラッチ（ＣＬ）／ソレノイド（ＳＬ）１１３を制御する。これにより、画像形成装置Ａ１の機械的動作が制御される。また、ＣＰＵ１０１ａは、サーミスタ１０４からの検知信号をＡ／Ｄ変換回路（Ａ／Ｄ１０３）を介して受け取る。そして、ＡＣドライバ１１０を介して、定着ローラ３１，３２（図１参照）に内蔵された加熱源である定着ヒータ１１１を制御している。詳しくは、サーミスタ１０４の抵抗値の変化は、Ａ／Ｄ１０３によって電圧値に変換され、デジタル値としてＣＰＵ１０１ａに入力される。ＣＰＵ１０１ａは、この入力値に基づいて定着ヒータ１１１をＯＮ／ＯＦＦ制御することで、定着ローラ３１，３２の温度を一定に保つ。
【００２７】
さらに、制御ユニット１００は、後述するように内転写電源３２及び外転写電源３３を含む高圧ユニット１０６に接続されている。ＣＰＵ１０１ａは、高圧制御部１０５を介して高圧ユニット１０６の出力を制御し、例えば画像形成部Ｕの帯電ローラ及び現像スリーブや、二次転写ユニット２０に必要な電圧を印加させる。
【００２８】
［二次転写ユニット］
次に、二次転写ユニット２０について、図３を用いて説明する。二次転写ユニット２０は、中間転写ベルト１２の外周面（トナー像担持面）に接触する転写ローラ２５（二次転写外ローラ）と、中間転写ベルト１２の内周面に接触する二次転写内ローラ２４とを有する。二次転写内ローラ２４及び転写ローラ２５は、中間転写ベルト１２を挟んで対向配置され、それぞれ中間転写ベルト１２の回転に従って従動回転する。二次転写部Ｔ２は、転写ローラ２５と中間転写ベルト１２との接触領域（ニップ部）として形成されている。
【００２９】
転写ローラとしての転写ローラ２５は、導電性を有する軸芯２５ａ（導電軸）と、軸芯２５ａの外周に形成された弾性層２５ｂ（外周層）とを有する。軸芯２５ａは、例えばステンレス等の導体からなる円柱状の部材である。また、弾性層２５ｂは、スポンジ状又はソリッドな弾性材料によって形成されるゴム層として形成される。弾性層２５ｂを構成する弾性材料としては、ＮＢＲ（アクリロニトリルブタジエンゴム）やＥＰＤＭ（エチレンプロピレンゴム）等のエラストマーやその他の合成樹脂を用いることができる。弾性層２５ｂには、金属錯体等のイオン導電剤が添加され、適度な導電性（半導電性）を付与されている。ただし、イオン導電性の導電剤として、エピクロルヒドリンゴム等の半導電性ポリマーを弾性層２５ｂの基材に混練してもよく、半導電性ポリマーと金属錯体等とを併用してもよい。また、カーボン（カーボンブラック）や金属酸化物等の電子導電性の導電剤とイオン導電剤とを弾性層２５ｂに分散させてもよい。要するに、転写ローラ２５の外周層にイオン導電性の導電剤が含まれる構成であれば本技術を適用可能である。
【００３０】
転写ローラに対向する対向部材としての二次転写内ローラ２４は、ＥＰＤＭ等の弾性材料からなる弾性層と、弾性層を支持する金属製の軸芯とを有するローラである。二次転写内ローラ２４の弾性層には、上述したイオン導電剤やカーボン等の導電剤が添加されることで、適度な導電性が付与されている。
【００３１】
また、二次転写ユニット２０は、転写ローラに電荷を供給する給電部材としての給電ローラ２６を有する。給電ローラ２６は、転写ローラ２５と軸中心を平行に配置され、転写ローラ２５に従動回転するローラである。給電ローラ２６は、転写ローラ２５に、周方向において二次転写部Ｔ２とは異なる位置に接触し、転写ローラ２５に電荷を供給する給電部としての給電ニップ部Ｎ１を形成している。給電ローラ２６には回転検知センサ３６が取付けされており、給電ローラ２６の回転量を検知可能に構成されている。
【００３２】
なお、給電部材は転写ローラに接触するローラ部材に限らず、ブラシ形状やブレード、あるいはワイヤ（コロナ放電式）等であっても構わない。要するに、二次転写部Ｔ２とは異なる位置で転写ローラ２５の外周部に電荷を供給可能であればよい。この場合、給電部材と転写ローラとの間で電荷の受渡しが行われる箇所（接触部又は空隙）が給電部に相当する。
【００３３】
［二次転写ユニットの電源構成］
次に、二次転写ユニット２０の電源構成について説明する。本実施形態では、図３に示すように、二次転写ユニット２０に電荷を供給する電源装置として内転写電源３２と外転写電源３３とが設けられている。内転写電源３２及び外転写電源３３は、後述するように、共に装置本体に搭載された高圧基板である。ただし、内転写電源３２及び外転写電源３３の「内」、「外」とは、中間転写ベルト１２に対して内周側、外周側の部材にそれぞれ電圧を印加するものであることを表している。
【００３４】
第１電源としての内転写電源３２は、二次転写内ローラ２４に接続されており、二次転写部Ｔ２にバイアス電界を形成する。第２電源としての外転写電源３３は、給電ローラ２６に接続されており、給電ローラ２６を介して転写ローラ２５に電荷を供給する。二次転写内ローラ２４と給電ローラ２６とに挟まれた転写ローラ２５は、軸芯２５ａが導電部材６０を介して接地電位に接続されている。従って、二次転写部Ｔ２及び給電ニップ部Ｎ１において転写ローラ２５に供給された電荷は、それぞれ弾性層２５ｂを径方向に移動して軸芯２５ａへと到達し、接地電位から供給される電荷によって中和される。
【００３５】
なお、導電部材６０は、導線に限らず導電性を有して軸芯２５ａを接地するものであればよく、例えば軸芯２５ａの軸受部を導電性材料によって構成したものであってもよい。また、導電部材６０と接地電位との間に、ツェナーダイオードやバリスタ等の電気的素子を介在させる構成であっても、降伏電圧（バリスタ電圧）が内転写電源３２及び外転写電源３３の出力電圧に比して十分に低圧であれば本技術を適用可能である。
【００３６】
図４に示すように、内転写電源３２は、高圧生成回路３２１と、電圧検出回路３２２と、転写電流検出手段としての電流検出回路３２３と、が形成された電源基板（第１基板）である。また、外転写電源３３は、高圧生成回路３３１と、電圧検出回路３３２と、給電電流検出手段としての電流検出回路３３３と、が形成された電源基板（第２基板）である。
【００３７】
高圧生成回路３２１，３３１は、ＣＰＵ１０１ａからの指令に基づいて高圧を生成し、それぞれ二次転写内ローラ２４及び給電ローラ２６に出力する。電圧検出回路３２２，３３２は、高圧生成回路３２１，３３１の出力電圧を検出し、検出結果をＣＰＵ１０１ａにフィードバックする。出力電流を検出する電流検出手段としての電流検出回路３２３，３３３は、それぞれ高圧生成回路３２１，３３１が二次転写外ローラ２５へ向けて供給する電流を検出し、検出結果をＣＰＵ１０１ａにフィードバックする。
【００３８】
［画像形成中の電流の方向］
続いて、画像形成中の電流の方向について、図５を用いて説明する。画像形成中、内転写電源３２は二次転写内ローラ２４にトナーの帯電極性と同極性（つまり負極性）の定電圧（第１電圧）を印加する。これにより、二次転写部Ｔ２には中間転写ベルト１２の側が負極性のバイアス電界が形成され、中間転写ベルト１２に担持されたトナー像は静電気力によって記録材Ｓへと転写される。このとき、内転写電源３２による印加電圧により、二次転写部Ｔ２には転写ローラ２５から二次転写内ローラ２４へ向かう方向の転写電流Ｉ１が流れている。
【００３９】
また、画像形成中、外転写電源３３は給電ローラ２６にトナーの帯電極性とは逆極性（つまり正極性）の定電圧（第２電圧）を印加する。これにより、給電ニップ部Ｎ１では給電ローラ２６から転写ローラ２５へと正電荷が供給され、給電ローラ２６から転写ローラ２５へ向かう方向のキャンセル電流Ｉ２が流れる。
【００４０】
ここで、比較例として、給電ローラ２６及び外転写電源３３を設けずに、二次転写部Ｔ２に転写バイアス電界を形成する電源だけを設ける構成が考えられる。しかしながら、この構成では、転写ローラ２５の弾性層２５ｂには専ら径方向の一方側へ向かう電流が流れることとなる。このような電流によってイオン導電剤が弾性層２５ｂの内周側又は外周側に偏って分極した状態になると、分極前の状態に比して弾性層２５ｂの電気抵抗が上昇する。すると、転写電流を一定の範囲に維持するためには、内転写電源３２の出力電圧を上昇させる必要が生じ、内転写電源３２の容量（最大出力電圧）を超える前に転写ローラ２５を交換することになる。即ち、イオン導電剤の分極が転写ローラ２５の寿命を減少させる要因となってしまう。また、転写電流を維持するために内転写電源３２の出力をより高圧に設定することで、二次転写部Ｔ２よりも上流側でトナー像が記録材Ｓへと転移して画質低下につながる可能性もある。
【００４１】
一方、本実施形態の弾性層２５ｂには、給電ローラ２６から供給される電荷によって、径方向において転写電流Ｉ１とは逆方向のキャンセル電流Ｉ２が流れる。キャンセル電流Ｉ２は、転写電流Ｉ１と大略一致するように設定される。このため、転写電流Ｉ１によって径方向の一方へ移動したイオン導電剤は、キャンセル電流Ｉ２によって径方向の他方へと移動する。このように、キャンセル電流Ｉ２によってイオン導電剤の移動がキャンセル（相殺）されることで、イオン導電剤の分極が抑制され、転写ローラ２５の性能（電気抵抗）を長期間に亘って維持することができる。特に、比較的温度・湿度が低い低温低湿環境では、従来の転写ローラの交換頻度（例えばＡ４用紙の通紙枚数５０万枚）に比して、交換頻度を著しく下げる（例えばＡ４用紙の通紙枚数１００万枚以上）ことができる。
【００４２】
ところで、２つの高圧電源（３２，３３）を用いる構成に代えて、１個の高圧電源によって転写電流Ｉ１とキャンセル電流Ｉ２とを同時に供給する構成も考えられる。例えば、導電部材６０を取り除いて転写ローラを接地電位から独立させ、二次転写内ローラ２４をアースすればよい。これにより、外転写電源３３から供給された電流が、転写ローラ２５の軸芯２５ａを介して二次転写部Ｔ２へ流れる構成となり、イオン導電剤の分極が抑制される。しかしながら、このような構成では、少なくとも弾性層２５ｂを２回通過する経路の抵抗を１個の高圧電源が負担することになる。従って、二次転写部Ｔ２に十分な強度のバイアス電界を形成するためには大容量の高圧電源が必要となり、コスト増加の要因となる。また、軸芯２５ａを経由せずに弾性層２５ｂを流れる電流（短絡電流）を低減するためには、二次転写部Ｔ２と給電ニップ部Ｎ１とを転写ローラ２５に対して１８０度に近い位相に配置する必要があった。
【００４３】
一方、本実施形態では２つの高圧電源に負荷が分散するため、個々の高圧電源の必要容量を、二次転写内ローラ２４又は転写ローラ２５に電圧を印加する従来の構成と同程度に抑えることができる。また、本実施形態では転写ローラ２５の軸芯２５ａが接地電位に接続されている。このため、軸芯２５ａが接地電位と独立となる構成に比して短絡電流が流れにくく、配置上の制約が緩くなっている。
【００４４】
なお、図５に示す電流Ｉ３，Ｉ４は、後述する逆バイアス電圧（逆電圧）によって生じる電流を表している。また、以上の説明は、トナーの帯電極性が負極性であることを前提としているが、帯電極性が正極性である場合には電流の向きを反転させることで適用可能であることは言うまでもない。
【００４５】
［印加電圧の設定フロー］
次に、画像形成ジョブの開始時（前回転動作中）に実行される、内転写電源３２の印加電圧の設定方法について、図６の制御フローに沿って説明する。ただし、以下の説明において、画像形成ジョブとは、画像形成の予備動作である前回転動作を開始してから、画像形成動作を経て、画像の形成後に行う終了動作である後回転動作が完了するまでの一連の動作を指すものとする。また、画像形成動作には、複数の記録材Ｓに連続的に画像を形成する連続画像形成動作が含まれるものとする。
【００４６】
ＣＰＵ１０１ａは、ユーザの操作により、又は外部ＰＣ等から画像形成の開始を指令する画像形成開始通知を受け取ると、感光ドラム１及び中間転写ベルト１２等の回転（前回転）を開始させる（Ｓ１０１）。そして、温湿度センサ１１５によって検出された環境条件が、前回の画像形成ジョブを実行した際の環境条件と所定の閾値以上に変化しているかを判定する（Ｓ１０２）。ただし、所定の閾値とは、画像の品位に影響が表れる程度の変動幅とする。
【００４７】
環境条件の変化が閾値以上である場合（Ｓ１０２：Ｙｅｓ）には、二次転写部Ｔ２における転写効率を向上させるように、ＣＰＵ１０１ａは環境条件に対応した転写電流Ｉ１の値を選択する。そして、内転写電源３２に制御信号を送って、選択した転写電流Ｉ１を定電流として出力させ（Ｓ１０３）、電圧検出回路３２２によって内転写電源３２の出力電圧の検知を開始する（Ｓ１０４）。ここで、画像形成時には、二次転写部Ｔ２に記録材Ｓが介在する分、二次転写部Ｔ２の電気抵抗が上昇する。これを考慮して、ＣＰＵ１０１ａは、内転写電源３２の出力電圧に記録材Ｓの種類（例えば厚紙／普通紙／コート紙）に応じた電圧値（記録材Ｓの分担電圧）を加算することで、画像形成時の印加電圧である二次転写電圧を決定する（Ｓ１０５）。
【００４８】
二次転写電圧が決定すると、ＣＰＵ１０１ａは内転写電源３２の定電流出力を停止させ（Ｓ１０６）、電圧検出回路３２２による電圧検知を終了する（Ｓ１０７）。ＣＰＵ１０１ａは、このように決定された二次転写電圧を用いて画像形成動作を開始する（Ｓ１０８）。なお、環境条件の変動が小さい場合（Ｓ１０２：Ｎｏ）には、ＣＰＵ１０１ａは前回の画像形成で使用された二次転写電圧の値を継続使用して、画像形成動作を開始する。
【００４９】
［差分電流］
次に、上述した二次転写電圧を用いて連続画像形成動作を行った場合に生じ得る現象について、図７を用いて説明する。連続画像形成動作では、二次転写部Ｔ２に順に搬送されて来た複数の記録材Ｓに対して、連続的にトナー像が二次転写される。従って、連続画像形成動作の期間は、二次転写部Ｔ２を記録材Ｓが通過中の区間である挟持されている通紙区間ｔ１，ｔ２，ｔ３…（図７（ａ）参照）と、通紙区間同士の間のインターバル（以下、紙間とする）とが交互に繰り返される。なお、本実施形態に係る記録材Ｓには紙以外の記録媒体（例えばプラスチックフィルムや布等）が含まれるが、これらに画像を形成する場合も「通紙区間」「紙間」の語を使用するものとする。
【００５０】
図７（ａ）に示すように、本実施形態では、内転写電源３２及び外転写電源３３は、それぞれ第１電圧に相当する二次転写電圧及び第２電圧に相当するキャンセル電圧を定電圧として出力する。ただし、キャンセル電圧は、図７（ｂ）に示すように各通紙区間ｔ１，ｔ２，ｔ３…で転写電流Ｉ１に絶対値が略等しいキャンセル電流が流れるように設定されている。
【００５１】
ここで、紙間では二次転写部Ｔ２に記録材Ｓが挟持されていない状態となるため、通紙区間に比して二次転写部Ｔ２の電気抵抗が降下する。すると、図７（ｂ）に示すように紙間で二次転写部Ｔ２に流れる電流（紙間電流）は、通紙区間と紙間とで一定であるキャンセル電流Ｉ２よりも大きな値となる。そこで、以下、紙間電流とキャンセル電流との差分に相当する電流を「差分電流Ｉａ」とする。転写電流Ｉ１とキャンセル電流Ｉ２との流れる方向から明らかなように、二次転写部Ｔ２及び給電ニップ部Ｎ１において転写ローラ２５に供給される電荷は互いに逆の極性を有する。従って、差分電流Ｉａは、転写ローラ２５の外周面に供給された正味の電流を表している。
【００５２】
各紙間で生じる差分電流により、転写ローラ２５に含まれるイオン導電剤は僅かに分極する。画像形成装置Ａ１の生産性向上に伴って通紙区間に対する紙間の割合は比較的小さく設定されているが、多数の記録材Ｓに対して画像形成を行うことで、差分電流Ｉａの積算量は徐々に増加する。例えば、Ｎ＋１枚の記録材Ｓに連続画像形成を行った場合に、差分電流Ｉａが一定値であり、紙間が略一定の時間幅ｔであったとすると、差分電流の積算量はＩａ×ｔ×Ｎの電気量に相当する。このような差分電流の累積によってイオン導電剤の分極が進行すると、転写ローラ２５の電気抵抗が上昇してしまう。
【００５３】
［調整動作］
そこで、本実施形態では、連続画像形成動作の終了後に、差分電流によるイオン導電剤の分極を打ち消す方向にバイアス電圧を掛ける調整動作を実行可能である。以下、差分電流の影響を軽減するための制御シーケンスについて、図８のフローチャートに沿って説明する。
【００５４】
連続画像形成動作が開始されると、ＣＰＵ１０１ａは、内転写電源３２に、前回転動作によって決定された二次転写電圧を定電圧として出力させる（Ｓ２０１）。また、外転写電源３３には、二次転写電圧によって生じる転写電流と絶対値が略等しいキャンセル電流を給電ローラ２６に流すキャンセル電圧を、定電圧として出力させる（Ｓ２０２）。これにより、二次転写部Ｔ２にトナー像を転写するためのバイアス電界が形成されると共に、給電ニップ部Ｎ１から転写ローラ２５に供給される電荷によってイオン導電剤の分極の大部分がキャンセルされる。
【００５５】
ＣＰＵ１０１ａは、内転写電源３２及び外転写電源３３の電圧出力開始と同時に、それぞれの電流検出回路３２３，３３３を用いて転写電流Ｉ１とキャンセル電流Ｉ２の測定を開始する（Ｓ２０３，Ｓ２０４）。ＣＰＵ１０１ａは、転写電流Ｉ１とキャンセル電流Ｉ２との差である差分電流Ｉａを時間的に積算して記憶する（Ｓ２０５）。ただし、差分電流Ｉａの積算方法は、Ｉａの時間積分を定量的に算出可能な方法であればサンプリングの頻度等の詳細を特に限定しないものとする。このような差分電流Ｉａの積算は、予定された枚数の記録材Ｓに画像が形成されるまで継続される（Ｓ２０６）。連続画像形成動作が終了すると、ＣＰＵ１０１ａは内転写電源３２に二次転写電圧の出力を停止させる（Ｓ２０７）。
【００５６】
連続画像形成動作が終了すると、ＣＰＵ１０１ａは以下の調整動作（Ｓ２０８〜Ｓ２１４）を実行する。まず、ＣＰＵ１０１ａは、内転写電源３２に、トナーの帯電極性とは逆極性の逆電圧である逆バイアス電圧を出力させる（Ｓ２０８）。このとき、外転写電源３３はキャンセル電圧の出力を継続しているため、図５に示すように、転写ローラ２５には転写電流Ｉ１とは逆方向の電流Ｉ３と、キャンセル電流Ｉ２とが流れる。このとき、転写ローラ２５には、電流Ｉ３，Ｉ２によって差分電流とは逆極性の電荷が供給される。これにより、差分電流によって連続画像形成動作の実行中に生じたイオン導電剤の分極が低減される。ＣＰＵ１０１ａは、電流Ｉ３及びキャンセル電流Ｉ２により供給された電気量が差分電流の積算量に等しくなるタイミング（図８のＳ２０９：Ｙｅｓ）で、キャンセル電圧の出力を停止させる（Ｓ２１０）。
【００５７】
ところで、本実施形態では転写ローラ２５に接触する給電ローラ２６を用いているため、中間転写ベルト１２に付着したかぶりトナー等のトナー粒子が転写ローラ２５を介して給電ローラ２６に付着している可能性がある。そこで、ＣＰＵ１０１ａは、外転写電源３３にキャンセル電圧の出力を停止させた後に、トナーの帯電極性と同極性の電圧である給電逆バイアス電圧を出力させる（Ｓ２１１）。このとき、内転写電源３２は逆バイアス電圧の出力を継続しているため、図５に示すように、二次転写部Ｔ２に電流Ｉ３が流れている状態で、給電ニップ部Ｎ１にはキャンセル電流Ｉ２とは逆方向の電流Ｉ４が流れる。すると、給電ローラ２６に付着したトナーは給電ニップ部Ｎ１において転写ローラ２５へと移動し、さらに二次転写部Ｔ２において中間転写ベルト１２へと移動する。なお、中間転写ベルト１２に付着したトナーは、ベルトクリーニング装置１１（図１参照）によって除去される。
【００５８】
給電逆バイアス電圧を印加する時間幅は、給電ローラ２６の全周の付着トナーを除去するために、給電ローラ２６が１回転する時間幅以上であると好ましい。さらに、給電ローラ２６から転写ローラ２５に移動したトナーを確実に中間転写ベルト１２へ移動させるためには、転写ローラ２５が給電ニップ部Ｎ１と二次転写部Ｔ２との位相差の分回転する時間を加算するとより好適である。
【００５９】
本実施形態では、回転検知センサ３６（図３参照）が給電ローラ２６の１回転以上の回転を検知すると（Ｓ２１２：Ｙｅｓ）、ＣＰＵ１０１ａが内転写電源３２及び外転写電源３３の出力を停止させる（Ｓ２１３，２１４）。なお、ＣＰＵ１０１ａは調整動作に並行して、中間転写ベルト１２及び感光ドラム１のクリーニング動作を含む後回転動作を実行している。調整動作及び後回転動作が終了すると、画像形成装置Ａ１は次の画像形成ジョブが入力されるまで待機する。
【００６０】
［タイミングチャート］
続いて、上述した制御フロー（図６、図８）の下での画像形成装置Ａ１の動作について、図９のタイミングチャートに沿って説明する。図９に示すように、ＣＰＵ１０１ａが時刻Ｔａに画像形成開始通知を受け取ると、内転写電源３２の電圧出力を開始させる（Ｓ１０３）と共に、電圧検出回路３２２が出力電圧の検出結果（Ｖ０）をフィードバックする（Ｓ１０４）。画像形成時の印加電圧（Ｖ１）を決定する（Ｓ１０５）と、ＣＰＵ１０１ａは時刻Ｔｂに内転写電源３２の出力を停止させる。
【００６１】
連続画像形成動作が開始されると、各画像形成部Ｕでは、上述した過程を経て感光ドラム１の表面にトナー像が形成され、中間転写ベルト１２に一次転写される。中間転写ベルト１２に形成されたトナー像は、中間転写ベルト１２の移動に伴って二次転写部Ｔ２へと搬送され、これに並行して記録材Ｓが二次転写部Ｔ２へと搬送される。そして、最初の記録材Ｓが二次転写部Ｔ２に到達する前（時刻Ｔｃ）に、ＣＰＵ１０１ａは内転写電源３２及び外転写電源３３にそれぞれ二次転写電圧Ｖ１及びキャンセル電圧Ｖ２の出力を開始させる（Ｓ２０１，Ｓ２０２）。また、このときＣＰＵ１０１ａは、内転写電源３２及び外転写電源３３の電流検出回路３２３，３３３を用いて、転写電流Ｉ１とキャンセル電流Ｉ２との差分電流Ｉａの計測と積算を開始する（Ｓ２０３，Ｓ２０４，Ｓ２０５）。
【００６２】
その後、時刻Ｔｄに連続画像形成動作が終了すると、ＣＰＵ１０１ａは調整動作を開始する。すなわち、ＣＰＵ１０１ａは、外転写電源３３にキャンセル電圧Ｖ２の出力を継続させた状態で、内転写電源３２に逆バイアス電圧Ｖ３を出力させる（Ｓ２０８）。そして、差分電流によるイオン導電剤の分極が十分に低減されたと判断した時刻Ｔｅに、外転写電源３３に逆バイアス電圧Ｖ４を出力させる（Ｓ２１１）。さらに、回転検知センサ３６が給電ローラ２６の１周以上の回転を検知した時刻Ｔｆに、内転写電源３２及び外転写電源３３の電圧出力を停止させ、調整動作を終了する（Ｓ２１３，Ｓ２１４）。
【００６３】
［本実施形態の効果］
上述した通り、本実施形態では連続画像形成動作中に生じる差分電流によるイオン導電剤の分極を、調整動作によって低減している。すなわち、調整動作において二次転写部Ｔ２に差分電流とは逆方向の電流が流れるように、内転写電源３２が逆バイアス電圧を出力する構成となっている。これにより、差分電流によって径方向の一方へ移動したイオン導電剤が径方向の他方へと戻されてイオン導電剤の分極が低減され、転写ローラ２５の電気抵抗の上昇が十分に抑制される。
【００６４】
また、本実施形態では差分電流の積算値に基づいて調整動作における内転写電源３２及び外転写電源３３の出力（印加電圧及び印加時間）を制御している。言い換えると、差分電流の積算値が第１電気量である場合には、この積算値が第１電気量よりも小さい第２電気量である場合に比して、調整動作において転写ローラに供給される電気量が大きくなるように第１電源及び前記第２電源が制御される。これにより、例えば記録材の分担電圧の大きさから差分電流の大きさを推定するなどして、フィードフォワード的に調整動作を実行するものに比して、イオン導電剤の分極をより効率的に低減することができる。
【００６５】
なお、調整動作において内転写電源３２及び外転写電源３３が印加する電圧の極性は、上述した組合せに限らない。例えば、内転写電源３２及び外転写電源３３の一方の電圧出力を停止させ、内転写電源３２及び外転写電源３３の他方に差分電流を低減する方向の電流を供給させる構成としてもよい。ただし、本実施形態では、内転写電源３２及び外転写電源３３の双方に差分電流を低減させる方向の電流を供給させているため、調整動作を素早く完了させることができる。
【００６６】
また、本実施形態では、キャンセル電流Ｉ２が通紙区間で二次転写部Ｔ２に流れる転写電流Ｉ１と等しくなるように構成されるものとして説明した（図７（ｂ）参照）が、これ以外の場合にも適用可能である。例えば、紙間電流が転写電流Ｉ１に比して大きくなることを見越して、キャンセル電流Ｉ２を転写電流Ｉ１に比して大きめに設定することが考えられる。このような構成であっても、通紙区間及び紙間で生じる差分電流を積算し、調整動作においてこの積算値を低減する方向に電流を流すように、内転写電源３２及び外転写電源３３の少なくとも一方に電流を供給させればよい。
【００６７】
また、外転写電源３３は、画像形成動作中は内転写電源３２と同様に定電圧を出力するものとして説明したが、転写電流の目標値に等しい電流を定常的に出力する定電流制御を行う構成としてもよい。この場合も、転写電流とキャンセル電流との差分を積算し、調整動作においてこの積算値を低減する方向に電流を流すように、内転写電源３２及び外転写電源３３の少なくとも一方に電流を供給させることで、本実施形態と同様の効果が得られる。
【００６８】
また、本実施形態は、連続画像形成動作の後の後回転動作に並行して調整動作が実行されるものとして説明したが、これ以外のタイミングで調整動作を実行しても構わない。例えば、大量の画像（例えば１万枚以上）の画像を連続出力する画像形成ジョブが入力された場合に、所定枚数の画像を出力する連続画像形成動作と調整動作とを交互に実行する構成としても構わない。また、後回転動作の実行時に必ず調整動作を行うものに限らず、画像形成装置Ａ１の累積画像出力枚数に応じて調整動作を実行する構成としてもよい。
【符号の説明】
【００６９】
１２…中間転写ベルト／２４…対向部材（二次転写内ローラ）／２５…転写ローラ（二次転写外ローラ）／２５ａ…導電軸（軸芯）／２５ｂ…外周層（弾性層）／２６…給電部材（給電ローラ）／３２…第１電源（内転写電源）／３３…第２電源（外転写電源）／１００…実行部（制御ユニット）／３２１，３３１…高圧生成回路／３２２…転写電流検出手段、電流検出回路／３２３，３３３…電圧検出回路／３３２…給電電流検出手段、電流検出回路／Ａ１…画像形成装置／Ｓ…記録材／ＵＹ，ＵＭ，ＵＣ，ＵＫ…画像形成部
【図１】
2017125994.tif 000003
【図２】
2017125994.tif 000004
【図３】
2017125994.tif 000005
【図４】
2017125994.tif 000006
【図５】
2017125994.tif 000007
【図６】
2017125994.tif 000008
【図７】
2017125994.tif 000009
【図８】
2017125994.tif 000010
【図９】
2017125994.tif 000011